(57)【要約】  本発明は、少なくとも二種の異なる分散剤の混合物、ベンゾトリアゾール、ベンゾトリアジン及びベンゾフェノンから選ばれるＵＶ吸収剤及び少なくとも二種の異なる分散剤の混合物を含有する水性分散液並びに静的染色プロセスにおける差圧を減少させる方法に関する。【特許請求の範囲】
【請求項１】
（Ａ）式（１）：
【化１】
2007519769.tif 000006
（式中、
Ｒ１、Ｒ２、Ｒ３及びＲ４は、互いに独立に、水素、Ｃ１〜Ｃ１２アルキル、Ｃ５〜Ｃ２４アリール又はＣ６〜Ｃ３６アラルキルを表し、Ｙは、エチレン又はプロピレンを表し、ｎは、４〜５０の数であり、Ｘは、水素、Ｃ１〜Ｃ１２アルキル、無機酸素含有酸の酸ラジカル又は有機酸のラジカルを表す）
で示される化合物７５〜９５重量％、並びに
（Ｂ）芳香族スルホン酸とホルムアルデヒドとから製造されるホルムアルデヒド縮合生成物５〜２５重量％
を含み、成分（Ａ）＋（Ｂ）の合計量は、１００重量％である組成物。
【請求項２】
式（１）
（式中、
Ｒ１がＣ４〜Ｃ１２アルキル、フェニル、トリル、フェニル−Ｃ１〜Ｃ３アルキル又はトリル−Ｃ１〜Ｃ３アルキルであり、
Ｒ２及びＲ３が、互いに独立に、水素、Ｃ４〜Ｃ１２アルキル、フェニル、トリル、フェニル−Ｃ１〜Ｃ３アルキル又はトリル−Ｃ１〜Ｃ３アルキルであり、
Ｒ４が水素であり、Ｘが硫酸又はオルトリン酸に由来する酸ラジカルであり、
Ｙがエチレンを表し、ｎが４〜４０の数である）
の化合物を成分（Ａ）として含有する、請求項１記載の組成物。
【請求項３】
式（１）（式中、Ｒ１が１−フェニルエチルであり、Ｒ２及びＲ３が、互いに独立に、水素又は１−フェニルエチルであり、Ｒ４が水素であり、Ｙがエチレンを表し、ｎが１２〜３０の数である）
の化合物を成分（Ａ）として含有する、請求項１記載の組成物。
【請求項４】
エチレンオキシド１２〜１８モルと、スチレン１〜３モルとフェノール１モルとの付加物との重付加物のモノエステル及びジエステルホスフェートの混合物のエタノールアミン、ジエタノールアミン、トリエタノールアミン、アンモニウム、カリウムもしくはナトリウム塩を成分（Ａ）として含有する、請求項１記載の組成物。
【請求項５】
ホルムアルデヒドとスルホン化ナフタレン、Ｃ１〜Ｃ４アルキルナフタレン、ビフェニル、ジフェニルエーテル、ジトリルエーテル、フェノール、トルエン、キシレン又はメシチレンとの縮合生成物を成分（Ｂ）として含有する、請求項１記載の組成物。
【請求項６】
ホルムアルデヒドとスルホン化ジトリルエーテルとの縮合生成物又はホルムアルデヒドとスルホン化ジ−（２−ナフチル）メタンとの縮合生成物を成分（Ｂ）として含有する、請求項１記載の組成物。
【請求項７】
加えて、
（Ｃ）アルキレンオキシド２〜８０モルと、炭素原子８〜２２の飽和もしくは不飽和モノアルコール、脂肪酸、脂肪アミン又は脂肪アミドとの重付加物０．１〜１０重量％；
を含有し、成分（Ａ）＋（Ｂ）＋（Ｃ）の合計量が、１００重量％である、請求項１記載の組成物。
【請求項８】
エチレンオキシド又はプロピレンオキシド３〜３０モルと、炭素原子１２〜２４の脂肪アルコール１モルとの重付加物を成分（Ｃ）として含有する、請求項７記載の組成物。
【請求項９】
エチレンオキシド２０〜３０モルと、ステアリルアルコール１モルとの重付加物を成分（Ｃ）として含有する、請求項７記載の組成物。
【請求項１０】
成分（Ａ）７６〜８４重量％、成分（Ｂ）１４〜２２重量％及び成分（Ｃ）２〜６重量％を含有する、請求項７記載の組成物。
【請求項１１】
組成物合計に基づいて、ベンゾトリアゾール、フェニルトリアジン及びベンゾフェノンから選ばれるＵＶ吸収剤５〜４０重量％並びに組成物合計に基づいて、請求項１記載の組成物５〜３０重量％を含有する水性分散液。
【請求項１２】
式（２）：
【化２】
2007519769.tif 000007
（式中、Ｒ１は、ハロゲン、Ｃ１〜Ｃ１２アルキル又はＣ１〜Ｃ１２アルコキシであり、Ｒ２及びＲ３は、互いに独立に、水素、ハロゲン、Ｃ１〜Ｃ１２アルキル又はＣ１〜Ｃ１２アルコキシである）
で示されるベンゾトリアゾール化合物をＵＶ吸収剤として含有する、請求項１１記載の水性分散液。
【請求項１３】
式（２ａ）：
【化３】
2007519769.tif 000008
で示されるベンゾトリアゾール化合物をＵＶ吸収剤として含有する、請求項１１記載の水性分散液。
【請求項１４】
加えて、安定剤又は増粘剤を、組成物合計に基づいて、１〜１０重量％含有する、請求項１１記載の水性分散液。
【請求項１５】
単糖類グルコース、マンノース及びグルクロン酸から形成されるヘテロ多糖を増粘剤として含有する、請求項１４記載の水性分散液。
【請求項１６】
織物材料を請求項１１記載の水性分散液の存在において染色することを含む、織物材料を染色する方法。
【請求項１７】
静的染色プロセスにおける差圧を、分散染料及び請求項１１記載の水性分散液を使用することによって減少させる方法。
【発明の詳細な説明】
【技術分野】
【０００１】
本発明は、少なくとも二種の異なる分散剤の混合物、ベンゾトリアゾール、ベンゾトリアジン及びベンゾフェノンから選ぶＵＶ吸収剤（ＵＶＡ）及び少なくとも二種の異なる分散剤の混合物を含有する水性分散液並びに静的染色プロセスにおける差圧を減少させる方法に関する。
【０００２】
静的染色における差圧は、ＵＶ吸収剤調剤、所定の色素、又は染浴のその他の成分を入れることによって引き起こされることがしばしばある。ベンゾトリアゾール、置換されたベンゾトリアゾール、ベンゾトリアジン、又はベンゾフェノンを活性剤として含有するこれらの調剤は、布を紫外線の有害な作用から保護するのに使用される。それらは、分散染料と共に使用されるのがしばしばである。この染浴組合せは、パッケージ−染色機、素材染色機、ビーム染色機等を含み、これらに限定されない静的染色装置において使用される際に、更なる差圧を生じる場合が多い。
【０００３】
差圧は、染料及び化学薬品を加える前に、染色機ポンプによって通常の循環条件下で生成される圧力を、染料及び化学薬品を染色機に加えた後に生じる圧力と比べた差異である。染浴温度の上昇は、染料及び化学薬品が繊維それ自体中に移送される時に枯渇温度に達するまで、差圧を増大させる。圧力の増大は、不均一な循環を引き起こし、染料及び化学薬品を基材全体に渡って不均一に付着させ、不完全な又は不均一な染色を生じる。繊維の繊度が増大するにつれて、及び／又は染色すべき基材の密度が増大するにつれて、問題は一層深刻になる。所定の染料及び化学薬品は、分散染料、ベンゾトリアゾールＵＶ吸収剤、置換されたベンゾトリアゾールＵＶ吸収剤、ベンゾトリアジンＵＶ吸収剤、一部のベンゾフェノンＵＶ吸収剤、及び合成繊維及び染料又は化学薬品について一般に使用されている所定のタイプの分散剤を含み、これらに限定されないこの条件について問題となることが知られている。
【０００４】
今、予期されないことに、少なくとも二種の異なる分散剤の特定の混合物を、ベンゾトリアゾール−、ベンゾトリアジン−及びベンゾフェノン−タイプのＵＶ吸収剤と組み合わせる時に、差圧が相当に減少される又は除去すらされることができることを見出した。
【０００５】
従って、本発明は、
（Ａ）式（１）：
【化４】
2007519769.tif 000002
（式中、
Ｒ１、Ｒ２、Ｒ３及びＲ４は、互いに独立に、水素、Ｃ１〜Ｃ１２アルキル、Ｃ５〜Ｃ２４アリール又はＣ６〜Ｃ３６アラルキルを表し、Ｙは、エチレン又はプロピレンを表し、ｎは、４〜５０の数であり、Ｘは、水素、Ｃ１〜Ｃ１２アルキル、無機酸素含有酸の酸ラジカル又は有機酸のラジカルを表す）
で示される化合物７５〜９５重量％、並びに
（Ｂ）芳香族スルホン酸とホルムアルデヒドとから製造されるホルムアルデヒド縮合生成物５〜２５重量％
を含み、成分（Ａ）＋（Ｂ）の合計量は、１００重量％である組成物に関する。
【０００６】
上記した通りの成分（Ａ）及び（Ｂ）は、織物染色の分野において分散剤及び／又は界面活性剤として良く知られている。
【０００７】
ラジカルＲ１〜Ｒ４及びＸとしてのＣ１〜Ｃ１２アルキルは、例えばメチル、エチル、プロピル、イソプロピル、ｎ−ブチル、イソブチル、ｓｅｃ−ブチル、ｔｅｒｔ−ブチル、アミル、ｔｅｒｔ−アミル（１，１−ジメチルプロピル）ｎ−ペンチル、ネオペンチル、及びｎ−ヘキシルを含む。
【０００８】
Ｃ５〜Ｃ２４アリールについての例は、フェニル、トリル、メシチル、キシリル、ナフチル、アントリル及びフェナントリルである。
【０００９】
Ｒ１としてのＣ６〜Ｃ３６アラルキルは、例えばベンジル、２−フェニルエチル、ジフェニルメチル、ナフチルメチル及び２−ナフチルエチルを含む。
【００１０】
酸ラジカルＸは、例えば低分子量のジカルボン酸、例えばマレイン酸、こはく酸又はスルホこはく酸に由来しかつエステルブリッジにより分子のアルキレンオキシ部分に結合される。しかし、Ｘは、硫酸、特にオルトリン酸のような無機多塩基酸に由来するのが好ましい。酸ラジカルＸは、遊離酸として又は塩形態で、すなわち、例えばアルカリもしくはアルカリ土類金属、アンモニウムもしくはアミン塩として存在することができる。そのような塩の例は、リチウム、ナトリウム、カリウム、マグネシウム、カルシウム、バリウム、アンモニウム、トリメチルアミン、ジエチルアミン、エタノールアミン、ジエタノールアミン及びトリエタノールアミン塩である。モノ−及びジエタノールアミン塩は、加えて、エチレンオキシ単位１〜２５でエーテル化することができる。
【００１１】
本発明に従う組成物は、式（１）（式中、Ｒ１がＣ４〜Ｃ１２アルキル、フェニル、トリル、フェニル−Ｃ１〜Ｃ３アルキル又はトリル−Ｃ１〜Ｃ３アルキルであり、Ｒ２及びＲ３が、互いに独立に、水素、Ｃ４〜Ｃ１２アルキル、フェニル、トリル、フェニル−Ｃ１〜Ｃ３アルキル又はトリル−Ｃ１〜Ｃ３アルキルであり、Ｒ４が水素であり、Ｘが硫酸又はオルトリン酸に由来する酸ラジカルであり、Ｙがエチレンを表し、ｎが４〜４０の数である）
の化合物を成分（Ａ）として含有するのが好ましい。
【００１２】
成分（Ａ）として特に好適なものは、式（１）（式中、Ｒ１が１−フェニルエチルであり、Ｒ２及びＲ３が、互いに独立に、水素又は１−フェニルエチルであり、Ｒ４が水素であり、Ｙがエチレンを表し、ｎが１２〜３０の数である）の化合物である。
【００１３】
非常に特に好ましいものは、エチレンオキシド１２〜１８モルと、スチレン１〜３モルとフェノール１モルとの付加物との重付加物のモノエステル及びジエステルホスフェートの混合物のエタノールアミン、ジエタノールアミン、トリエタノールアミン、アンモニウム、カリウムもしくはナトリウム塩である。
【００１４】
式（１）の化合物は、例えば米国特許第５，００９，６６９号に記載されている。
【００１５】
適した成分（Ｂ）もまた米国特許第５，００９，６６９号に記述されている。
【００１６】
好適な成分（Ｂ）は、ホルムアルデヒドとスルホン化ナフタレン、Ｃ１〜Ｃ４アルキルナフタレン、ビフェニル、ジフェニルエーテル、ジトリルエーテル、フェノール、トルエン、キシレン又はメシチレンとの縮合生成物である。
【００１７】
特に好ましいものは、ホルムアルデヒドとスルホン化ジトリルエーテルとの縮合生成物及びホルムアルデヒドとスルホン化ジ−（２−ナフチル）メタンとの縮合生成物である。
【００１８】
更に好適な実施態様では、本発明に従う組成物は、加えて、
（Ｃ）アルキレンオキシド２〜８０モルと、炭素原子８〜２２の不飽和もしくは飽和モノアルコール１モル、脂肪酸、脂肪アミン又は脂肪アミドとの重付加物０．１〜１０重量％；
を含有し、成分（Ａ）＋（Ｂ）＋（Ｃ）の合計量は、１００重量％である。
【００１９】
成分（Ｃ）は、エチレンオキシド又はプロピレンオキシド３〜３０モルと、炭素原子１２〜２４の脂肪アルコールとの重付加物であるのが好ましい。
【００２０】
成分（Ｃ）として特に好適なものは、エチレンオキシド２０〜３０モルと、ステアリルアルコール１モルとの重付加物である。
【００２１】
成分（Ａ）、（Ｂ）及び（Ｃ）の相対的な量は、広い範囲内で変えることができる。本発明に従う組成物は、成分（Ａ）７６〜８４重量％、特に７７〜８２重量％、成分（Ｂ）１４〜２２重量％、特に１６〜２１重量％、及び成分（Ｃ）２〜６重量％、特に３〜５重量％を含有するのが好ましい。
【００２２】
上述した通りに、本発明に従う分散剤混合物は、有利には、静的染色プロセスにおいてしばしば差圧を引き起こすベンゾトリアゾール−、ベンゾトリアジン−、又はベンゾフェノンＵＶ吸収剤と組み合わせることができる。
【００２３】
よって、本発明のそれ以上の目的は、組成物合計に基づいて、ベンゾトリアゾール、ベンゾトリアジン及びベンゾフェノンから選ばれるＵＶ吸収剤５〜４０重量％並びに組成物合計に基づいて、上記した通りの分散剤組成物５〜３０重量％を含有する水性分散液である。
【００２４】
本発明に従う水性分散液は、式（２）：
【化５】
2007519769.tif 000003
（式中、Ｒ１は、ハロゲン、Ｃ１〜Ｃ１２アルキル又はＣ１〜Ｃ１２アルコキシであり、Ｒ２及びＲ３は、互いに独立に、水素、Ｃ１〜Ｃ１２アルキル又はＣ１〜Ｃ１２アルコキシである）
で示されるベンゾトリアゾール化合物をＵＶ吸収剤として含有するのが好ましい。
【００２５】
式（２）の適した化合物は、例えば米国特許第５，００９，６６９号に記載されている。
【００２６】
式（２ａ）：
【化６】
2007519769.tif 000004
で示される化合物が特に好適である。
【００２７】
本発明に従う水性分散液は、ＵＶ吸収剤及び分散剤混合物の他に、加えて、安定剤又は増粘剤を、組成物合計に基づいて、１〜１０重量％含有するのが有利である。
【００２８】
そのような添加は、分散液の粘度を調整する働きをする。
【００２９】
適した安定剤又は増粘剤は、特にカルボキシル含有ポリマーである。これらは、溶液又は分散液に基づいて、０．５〜１０％水溶液又は分散液の形態で用いる。
【００３０】
これらのポリマーは、重合された炭素原子３〜５のエチレン性不飽和モノ−もしくはジカルボン酸、例えばポリアクリル酸又はメタクリル酸、クロトン酸、イタコン酸、テラコン酸、マレイン酸、フマル酸、シトラコン酸もしくはメサコン酸のポリマー、オレフィン、例えばエチレンもしくはプロピレン、ジケテン、アクリル酸エステル、メタクリル酸エステル又はアクリルアミドとアクリル酸を含む上述したモノマーとのコポリマー或はアクリル酸とメタクリル酸、メタクリロニトリルもしくはビニルモノマー、例えばビニルホスホン酸とのコポリマー、マレイン酸とスチレン、マレイン酸とビニルエステル、例えばビニルアセテートとのコポリマーであるのが有利である。
【００３１】
増粘用カルボキシル含有ポリマーは、分子量０．５〜６百万を有することができる。その他の増粘剤は、多糖、例えばカルボキシメチルセルロース、メチルセルロース、メチルヒドロキシエチルセルロース、イナゴマメ粉末エーテル、でんぷんエーテル、アルギネート、ポリエチレングリコール、ポリビニルピロリドン、ポリビニルアルコール又は他に微細なシリカ、好ましくは比表面積５０〜３８０ｍ２／ｇを有するもの及びフィロシリケート、例えばベントナイト、ベントーネ、スメクタイト及びモンモリロナイトである。
【００３２】
特に有用な増粘剤は、ポリアクリル酸及びアクリル酸とアクリルアミドとのコポリマーのようなアクリル系ポリマーであり、対応する分子量は、０．５〜６百万の範囲になり得る。
【００３３】
更に特に有用な増粘剤は、単糖類グルコース、マンノース及びグルクロン酸から形成されるヘテロ多糖、例えばキサンタンガムである。
【００３４】
本発明に従う水性分散液は、更に、例えば更なるアニオン系もしくは非イオン系分散剤又は界面活性剤、金属イオン封鎖剤、拡散促進剤、凍結防止剤、消泡剤、防腐剤及び殺菌剤を含む通常の補助剤を含有してよい。
【００３５】
本発明に従う水性分散液は、ＵＶ吸収剤、分散剤混合物及び水をミキサーでペースト化した後に、金属イオン封鎖剤、凍結防止剤、消泡剤、防腐剤及び殺菌剤のような所望の追加の成分を加え、１〜３０時間、好ましくは１〜１０時間分散することによって製造するのが有利である。分散は、高剪断力の作用により、例えばボール、サンド又はビードミル中で粉砕することによって行うのが有利である。粉砕した後に、安定剤又は増粘剤の水溶液及び所望ならば、更に水を加え、均一に分散されるまで攪拌することができる。
【００３６】
本発明に従う分散液は、良好な輸送及び貯蔵安定性について顕著である。それらは、特に染浴中で使用する際に、１３０℃までの高い温度で特に非常に安定である。
【００３７】
本発明に従う水性分散液は、合成繊維、特にポリエステル繊維を含有する織物材料を染色する際の染料に応じて使用する。染色方法は、従来の様式で実施する。本発明に従う分散液を水性浴に攪拌しながらゆっくり加え、染料を加え、液は、染色する準備ができた。
【００３８】
本発明は、よって、また、織物材料を、ＵＶ吸収剤及び上記した通りの分散剤組成物を含有する水性分散液の存在において染色することを含む、織物材料を染色する方法も提供する。
【００３９】
本発明に従う補助分散液を染浴に加える量は、繊維の重量に基づいて、０．５〜１０重量％、好ましくは１〜５重量％の範囲である。
【００４０】
新規な光安定剤補助混合物の存在において染色することができる繊維材料、特に織物材料は、例えばセルロースエステル繊維、芳香族ポリアミド繊維及びポリエステル繊維を含む。
【００４１】
染色は、エキゾースト法により水性液から実施するのが有利である。よって、液比は、広い範囲、例えば１：３〜１：１００、好ましくは１：７〜１：５０内で選ぶことができる。染色又は増白が行なわれる温度は、好ましくは少なくとも７０℃であり、通常１４０℃以下である。温度は、８０〜１３５℃の範囲内であるのが好ましい。
【００４２】
染料、補助混合物及び任意の更なる添加剤を収容しかつｐＨ４．５〜５．５に調整した浴を、６０〜８０℃で５分間繊維材料を通して循環させ、次いで温度を１５〜３５分の過程で上昇させて１１０〜１３５℃にし、染色液をその温度に１５〜９０分間放置する。
【００４３】
染色液を、冷却して６０〜８０℃に下げ、染色を水ですすぎ、必要ならば、それを従来の様式でアルカリ性媒体中で還元固定することによって、染色を終了する。次いで、染色を再びすすぎかつ乾燥させる。これは、合成繊維材料、特に線状ポリエステル繊維上に、深くかつ均一であり、その上、良好な光堅牢度及び摩擦堅牢度について顕著な染色を生じる。
【００４４】
ＵＶ吸収剤及び所定の色素にしばしば付随する静的染色装置における差圧は、本発明に従う特定の分散液によって相当に減少される。
【００４５】
従って、本発明は、また、分散染料並びにＵＶ吸収剤及び上記した通りの分散剤組成物を含有する水性分散液を使用することによって、静的染色プロセスにおける差圧を減少させる方法にも関する。
【００４６】
下記の例は、本発明を例示する働きをする；他に記述しない場合には、部及びパーセンテージは、重量による。
【実施例】
【００４７】
実施例１
下記の成分を混合することによって、水性分散液Ｆ１を製造する：
脱ミネラル化水    ５４．２２ｇ
２-（２’ヒドロキシ-３’-ｔｅｒｔ．-ブチル-５’-メチルフェニル）-５-クロロベンゾトリアゾール    １２．５ｇ
スルホン化ジトリルエーテルホルムアルデヒド縮合物（Ｂ１）    ２ｇ
Ｃ１６〜Ｃ１８アルキルアルコールとエチレンオキシド２５モルとの付加生成物    ０．５ｇ
更なる市販されている分散剤    ４．０ｇ
市販されている脱泡剤    １．０ｇ
【００４８】
混合物を、サンド又はビードミル中で、粒径が２．５μｍよりも小さくなるまで粉砕する。サンド又はガラスビーズが分離された後に、
キサンタンガムベースの増粘剤    ０．４ｇ
市販されている殺真菌剤（Ｐｒｏｘｅｌ  ＧＸＬ）    ０．３８ｇ
脱ミネラル化水    ２５．０ｇ
を加える。
【００４９】
生成した分散液は、粘度２５０  ｍＰａｓを有しかつ良好な貯蔵安定性を有する。
【００５０】
実施例２
下記の成分を混合することによって、水性分散液Ｆ２を製造する：
脱ミネラル化水    ５４．２２ｇ
２-（２’ヒドロキシ-３’-ｔｅｒｔ．-ブチル-５’-メチルフェニル）-５-クロロベンゾトリアゾール    １２．５ｇ
トリス（１−フェニルエチル）フェノールとエチレンオキシド１６モルとの付加生成物    ７．７ｇ
スルホン化ジトリルエーテルホルムアルデヒド縮合物    ２．１ｇ
Ｃ１６〜Ｃ１８アルキルアルコールとエチレンオキシド２５モルとの付加生成物    ０．７ｇ
市販されている脱泡剤    １．０ｇ
【００５１】
混合物を、サンド又はビードミル中で、粒径が２．５μｍよりも小さくなるまで粉砕する。サンド又はガラスビーズが分離された後に、
キサンタンガムベースの増粘剤    ０．４ｇ
市販されている殺真菌剤（Ｐｒｏｘｅｌ  ＧＸＬ）    ０．３８ｇ
脱ミネラル化水    ２５．０ｇ
を加える。
【００５２】
生成した分散液は、粘度２５０  ｍＰａｓを有しかつ良好な貯蔵安定性を有する。
【００５３】
実施例３
下記の成分を混合することによって、水性分散液Ｆ３を製造する：
脱ミネラル化水    ５４．２２ｇ
２-（２’ヒドロキシ-３’-ｔｅｒｔ．-ブチル-５’-メチルフェニル）-５-クロロベンゾトリアゾール    １２．５ｇ
トリス（１−フェニルエチル）フェノールとエチレンオキシド１６モルとの付加生成物    ７．７ｇ
スルホン化アルキルナフタレンホルムアルデヒド縮合物（Ｂ２）    ２．１ｇ
Ｃ１６〜Ｃ１８アルキルアルコールとエチレンオキシド２５モルとの付加生成物    ０．７ｇ
市販されている脱泡剤    １．０ｇ
【００５４】
混合物を、サンド又はビードミル中で、粒径が２．５μｍよりも小さくなるまで粉砕する。サンド又はガラスビーズが分離された後に、
キサンタンガムベースの増粘剤    ０．４ｇ
市販されている殺真菌剤（Ｐｒｏｘｅｌ  ＧＸＬ）    ０．３８ｇ
脱ミネラル化水    ２５．０ｇ
を加える。
【００５５】
生成した分散液は、粘度２００  ｍＰａｓを有しかつ良好な貯蔵安定性を有する。
【００５６】
実施例４
下記の成分を混合することによって、水性分散液Ｆ４を製造する：
実施例１に従って製造した分散液３ｇ並びに
トリス（１−フェニルエチル）フェノールとエチレンオキシド１６モルとの付加生成物  ７７重量％、スルホン化ジトリルエーテルホルムアルデヒド縮合物２１重量％及びＣ１６〜Ｃ１８アルキルアルコールとエチレンオキシド２５モルとの付加生成物２重量％を含有する分散剤組成物１．２ｇ
【００５７】
安定な分散液が得られる。
【００５８】
実施例５
下記の成分を混合することによって、水性分散液Ｆ５を製造する：
実施例１に従って製造した分散液３ｇ並びに
トリス（１−フェニルエチル）フェノールとエチレンオキシド１６モルとの付加生成物  ７７重量％、スルホン化アルキルナフタレンホルムアルデヒド縮合物２１重量％及びＣ１６〜Ｃ１８アルキルアルコールとエチレンオキシド２５モルとの付加生成物２重量％を含有する分散剤組成物１．２ｇ
【００５９】
生成した分散液は、安定である。
【００６０】
実施例６
上記の分散液Ｆ１〜Ｆ５の性能を、差圧の減少に関して、差圧及び流量測定ユニットを装備した循環染色装置においてポリエステル糸４０ｇのスピンドルを処理することによって試験する。
【００６１】
試験パラメーターは、下記である：
ポンプ流量：０．５リットル／分
ポンプ方向：内側−外
ｐＨ：４．５〜５．０；酢酸で調整した
温度：６０〜１３０℃；２〜４℃／分；１３０℃で１０分；冷却
混合することによって、水性分散液Ｆ５を製造する：
【００６２】
観測された最大の差圧ピークを下記の表１に掲記する：
【００６３】
【表１】
2007519769.tif 000005
【国際調査報告】
2007519769.tif 000009
2007519769.tif 000010